(57)【要約】【課題】ビスを用いずに、単純な手順で強固に制御基板ボックスを所定の設置位置に仮止めすることができる制御基板ボックスの仮止め構造、及び当該制御基板ボックスの仮止め構造を備えた遊技機を提供する。【解決手段】液晶基板ボックス３３の背面４３の一部が、サブ基板ボックス３５が配設される設置位置４０となっている。背面４３のうち、設置位置４０の四隅の近傍には、円柱状の凸部５０が突出している。また、サブ基板ボックス３５の正面には、液晶基板ボックス３３の４つの凸部５０のそれぞれに対応する位置に凹部が設けられている。作業者が、設置位置４０に対するサブ基板ボックス３５の位置合わせを行い、サブ基板ボックス３５を押し込むと、凸部５０と凹部とが嵌合し、サブ基板ボックス３５が設置位置４０に仮止めされる。【選択図】図３
2010246679.tif 000002
【特許請求の範囲】
【請求項１】
遊技機の制御を司る制御基板を収納した制御基板ボックスを、遊技機の枠又は他の制御基板ボックスの所定の設置位置に仮止めするための制御基板ボックスの仮止め構造であって、
前記制御基板ボックス及び前記設置位置のいずれか一方から突出する柱状の凸部と、
前記制御基板ボックス及び前記設置位置のうち、前記凸部が設けられている側とは異なる側に設けられ、前記凸部と嵌合する凹部と
を備えたことを特徴とする制御基板ボックスの仮止め構造。
【請求項２】
前記凹部は、
弾性を有し、嵌合した前記凸部の周壁面に対して斜めに当接して変形することで前記凸部を押圧し固定する固定リブを備えたことを特徴とする請求項１に記載の制御基板ボックスの仮止め構造。
【請求項３】
前記凹部は、
前記凸部の周壁面に当接して前記凸部を位置決めする位置決めリブを備えたことを特徴とする請求項１又は２に記載の制御基板ボックスの仮止め構造。
【請求項４】
前記位置決めリブは複数設けられており、前記凸部の中心軸を中心に対称となる位置に前記複数の位置決めリブが配設されていることを特徴とする請求項３に記載の制御基板ボックスの仮止め構造。
【請求項５】
前記凸部の先端部外周縁には、先端側に向かって縮径する面取り部が形成されていることを特徴とする請求項１乃至４のいずれかに記載の制御基板ボックスの仮止め構造。
【請求項６】
前記設置位置には、前記制御基板ボックスの外周の形状に対応し、前記制御基板ボックスの外周の少なくとも一部を外側から保持する保持リブが立設していることを特徴とする請求項１乃至５のいずれかに記載の制御基板ボックスの仮止め構造。
【請求項７】
請求項１乃至６のいずれかに記載の制御基板ボックスの仮止め構造を備えたことを特徴とする遊技機。
【発明の詳細な説明】
【技術分野】
【０００１】
本発明は、遊技機の制御を司る制御基板を収納した制御基板ボックスを、遊技機の所定の設置位置に仮止めするための制御基板ボックスの仮止め構造、及び当該制御基板ボックスの仮止め構造を備えた遊技機に関する。
【０００２】
従来、遊技機の制御を司る制御基板を複数備えた遊技機が広く知られている。制御基板を複数に分割すれば、所定の制御基板を複数種類の遊技機間で共通化することができる。不具合が生じた場合でも、一部の制御基板のみを修理・交換すればよい。さらに、遊技機の開発段階においても、所定の制御基板のＩＣのみを適宜交換しながら動作確認等を行えばよいため、効率よく作業を実行できる。
【０００３】
複数の制御基板を備えた遊技機では、遊技機本体の背面側に、制御基板を収納した複数の制御基板ボックスが積層されていることが一般的である。各制御基板ボックスは、遊技機の枠、又は他の制御基板ボックスに、ビスで固定されている。従来のように、ビスのみで制御基板ボックスを固定するためには、作業者は制御基板ボックスを適切な位置に保持しつつ固定作業を行う必要があり、煩わしかった。
【０００４】
一方、液晶ディスプレイと液晶制御基板とを収納し、遊技機本体に仮止めすることができる基板ケースが提案されている（例えば、特許文献１参照）。この遊技機では、遊技機本体に形成された差し込み孔に、基板ケースから突出している係止部材を挿入して係止させることで、基板ケースを遊技機本体に仮止めすることができる。基板ケースを仮止めしてからビス等による固定を行えば、基板ケースを保持しつつ遊技機本体に固定する必要がないため、固定作業が容易になる。
【先行技術文献】
【特許文献】
【０００５】
【特許文献１】特開２００７−２２９２４２号公報
【発明の概要】
【発明が解決しようとする課題】
【０００６】
しかしながら、特許文献１に記載の基板ケースは、仮止めするための構造が複雑であった。また、基板ケースを遊技機本体に仮止めする手順、さらには、仮止めを解除して基板ケースを取り外す手順も複雑であった。従って、遊技機の動作確認を行う場合等、一部のＩＣを頻繁に交換する際には、その度に複雑な手順を踏んで仮止めを解除し、且つ基板ケース内から液晶制御基板を取り出してＩＣを交換しなければならず、作業効率が悪かった。また、係止部材を係止させて基板ケースを仮止めする構造は不安定であり、単純な手順で強固に基板ケースを仮止めすることはできなかった。
【０００７】
本発明は上記課題を解決するためになされたものであり、ビスを用いずに、単純な手順で強固に制御基板ボックスを所定の設置位置に仮止めすることができる制御基板ボックスの仮止め構造、及び当該制御基板ボックスの仮止め構造を備えた遊技機を提供することを目的とする。
【課題を解決するための手段】
【０００８】
上記目的を達成するために、請求項１に記載の制御基板ボックスの仮止め構造は、遊技機の制御を司る制御基板を収納した制御基板ボックスを、遊技機の枠又は他の制御基板ボックスの所定の設置位置に仮止めするための制御基板ボックスの仮止め構造であって、前記制御基板ボックス及び前記設置位置のいずれか一方から突出する柱状の凸部と、前記制御基板ボックス及び前記設置位置のうち、前記凸部が設けられている側とは異なる側に設けられ、前記凸部と嵌合する凹部とを備えている。
【０００９】
また、本発明の請求項２に記載の制御基板ボックスの仮止め構造は、請求項１に記載の発明の構成に加え、前記凹部は、弾性を有し、嵌合した前記凸部の周壁面に対して斜めに当接して変形することで前記凸部を押圧し固定する固定リブを備えている。
【００１０】
また、本発明の請求項３に記載の制御基板ボックスの仮止め構造は、請求項１又は２に記載の発明の構成に加え、前記凹部は、前記凸部の周壁面に当接して前記凸部を位置決めする位置決めリブを備えている。
【００１１】
また、本発明の請求項４に記載の制御基板ボックスの仮止め構造は、請求項３に記載の発明の構成に加え、前記位置決めリブは複数設けられており、前記凸部の中心軸を中心に対称となる位置に前記複数の位置決めリブが配設されていることを特徴とする。
【００１２】
また、本発明の請求項５に記載の制御基板ボックスの仮止め構造は、請求項１乃至４のいずれかに記載の発明の構成に加え、前記凸部の先端部外周縁には、先端側に向かって縮径する面取り部が形成されていることを特徴とする。
【００１３】
また、本発明の請求項６に記載の制御基板ボックスの仮止め構造は、請求項１乃至５のいずれかに記載の発明の構成に加え、前記設置位置には、前記制御基板ボックスの外周の形状に対応し、前記制御基板ボックスの外周の少なくとも一部を外側から保持する保持リブが立設していることを特徴とする。
【００１４】
また、本発明の請求項７に記載の遊技機は、請求項１乃至６のいずれかに記載の制御基板ボックスの仮止め構造を備えている。
【発明の効果】
【００１５】
請求項１に記載の制御基板ボックスの仮止め構造によると、凹部と凸部とが嵌合するように、制御基板ボックスを設置位置に押圧することで、制御基板ボックスを設置位置に仮止めすることができる。よって、部材を係合させるような複雑な手順を経ることなく、容易且つ強固に制御基板ボックスを仮止めすることができる。仮止めを解除する場合も、係合を外すような手順を経ずに、制御基板ボックスを引き抜くだけで仮止めを解除することができる。
【００１６】
また、本発明の請求項２に記載の制御基板ボックスの仮止め構造によると、凸部を凹部に挿入することで、弾性を有する固定リブが変形し、凸部を押圧して固定する。従って、請求項１に記載の発明の効果に加え、凸部を凹部に挿入するだけで、制御基板ボックスを強固に設置位置に仮止めすることができる。
【００１７】
また、本発明の請求項３に記載の制御基板ボックスの仮止め構造によると、凹部の位置決めリブによって凸部が位置決めされる。よって、請求項１又は２に記載の発明の効果に加え、制御基板ボックスをより正確な位置に位置決めすることができる。
【００１８】
また、本発明の請求項４に記載の制御基板ボックスの仮止め構造では、凸部の中心軸を中心に対称となる位置に複数の位置決めリブが配設されている。よって、請求項３に記載の発明の効果に加え、複数の位置決めリブに加わる力を略均等に分散することができ、より安定した状態で制御基板ボックスを仮止めすることができる。さらに、特定の位置決めリブに対して大きな負荷が加わることがないため、位置決めリブの消耗、破損等が生じるおそれを低下させることができる。
【００１９】
また、本発明の請求項５に記載の制御基板ボックスの仮止め構造では、凸部の先端部外周縁に面取り部が形成されている。よって、請求項１乃至４のいずれかに記載の発明の効果に加え、凸部と凹部との位置関係を厳密に調整しなくても、凸部を滑らかに凹部に挿入することができる。
【００２０】
また、本発明の請求項６に記載の制御基板ボックスの仮止め構造によると、請求項１乃至５のいずれかに記載の発明の効果に加え、制御基板ボックスを保持リブに当接させることで、設置位置に制御基板ボックスを容易に位置させることができる。すなわち、設置位置に対する制御基板ボックスの位置合わせを容易且つ正確に行うことができる。さらに、凸部及び凹部が制御基板ボックスを保持することに加え、保持リブが制御基板ボックスの外周を保持するため、より強固に制御基板ボックスを仮止めすることができる。
【００２１】
また、本発明の請求項７に記載の遊技機は、請求項１乃至６のいずれかに記載の発明と同様の作用効果を奏することができる。
【図面の簡単な説明】
【００２２】
【図１】パチンコ機１の表枠１４及び中枠１３が開いた状態を斜め前方から見た斜視図である。
【図２】センターカバー２３及び遊技球タンク２５を取り外した状態の遊技盤２の背面図である。
【図３】仮止めが行われていない状態のサブ基板ボックス３５及び液晶基板ボックス３３の斜視図である。
【図４】凸部５０の拡大斜視図である。
【図５】サブ基板ボックス３５の正面図である。
【図６】凹部６０の拡大斜視図である。
【図７】サブ基板ボックス３５の図５におけるＩ−Ｉ線矢視方向断面図である。
【図８】仮止めが行われた状態のサブ基板ボックス３５及び液晶基板ボックス３３の斜視図である。
【図９】サブ基板ボックス３５及び液晶基板ボックス３３の図８におけるＩＩ−ＩＩ線矢視方向断面図である。
【図１０】凸部５０と嵌合している状態の凹部６０の正面図である。
【発明を実施するための形態】
【００２３】
以下、本発明に係る一実施の形態である制御基板ボックスの仮止め構造、及び当該制御基板ボックスの仮止め構造を備えたパチンコ機１について、図面を参照して説明する。まず、パチンコ機１の概略構成について、図１を参照して説明する。パチンコ機１は、外枠１２、中枠１３、及び表枠１４を備えており、中枠１３には遊技盤２が配設されている。外枠１２は、遊技場の島設備（図示外）に配設される正面視長方形状の枠部材である。
【００２４】
中枠１３について説明する。中枠１３は、正面視略長方形状の金属製のアングル部材からなる。中枠１３の左柱部が、上ヒンジ１５及び下ヒンジ１６を介して外枠１２の外枠左柱部１２ａ近傍に軸支される。これにより、中枠１３が外枠１２に対して略水平方向に回動可能（開閉可能）となる。中枠１３が開閉されることによって、中枠１３の中枠右柱部１３ｂが外枠１２に対して着脱される。
【００２５】
中枠１３の上半分には遊技盤２が配設されている。また、中枠１３の正面側における遊技盤２の下方には上皿５が設けられており、上皿５の下方には下皿６が設けられている。下皿６の右側には、発射機による遊技球の発射を調整する発射ハンドル７が設けられている。また、遊技盤２の正面側には、正面視略矩形状の表枠１４が設けられている。
【００２６】
次いで、表枠１４について説明する。表枠１４は正面視略長方形状である。表枠１４の略中央には円形の開口部が形成されており、開口部には、透明板であるガラス窓１７が嵌め込まれている。そして、表枠１４の表枠左側端部１４ａが、中枠１３の左柱部の近傍に軸支されている。これにより、表枠１４が中枠１３に対して略水平方向に回動（開閉）することができる。表枠右側端部１４ｂは、中枠１３に対して着脱可能となっている。
【００２７】
表枠１４の左上部及び右上部のそれぞれには、スピーカ１８が配設されている。スピーカ１８は、後述するサブ基板ボックス３５（図２参照）が収納しているサブ統合基板（図示外）に電気的に接続されており、サブ統合基板の制御によって様々な音を発生する。表枠１４の前面には、演出用の電飾ランプが多数設けられている。電飾ランプは、後述するランプドライバ基板（図示外）の制御によって発光する。
【００２８】
次いで、遊技盤２について説明する。遊技盤２の正面側の略中央には、液晶表示装置２０やＬＥＤ等を備えた図柄表示装置８が設けられている。図柄表示装置８の下側には特別図柄始動電動役物２１が設けられており、特別図柄始動電動役物２１の下側には大入賞口２２が設けられている。発射機（図示外）から発射された遊技球は、遊技盤２及びガラス窓１７によって形成される遊技領域４を流下する。特別図柄始動電動役物２１へ遊技球が入賞すると、大当たり判定が行われる。液晶表示装置２０では、大当たり判定の結果に応じた様々な演出が行われる。大当たりと判定されると、大入賞口２２が開放される大当たり遊技が実行されて、多数の遊技球が払い出される。これらの一連の遊技、演出等は、遊技盤２の背面側に配設された複数の制御基板によって制御される。
【００２９】
遊技盤２の背面側には、各種制御基板を収納した複数の制御基板ボックスを保護するセンターカバー２３が設けられている。センターカバー２３の下方には、パチンコ機１を動作させるための様々な部品を保護する下部カバー２４が設けられている。さらに、センターカバー２３の上方には、遊技場の島設備から供給される遊技球を貯留する遊技球タンク２５が配設されている。
【００３０】
次に、遊技盤２の背面側の制御部３０について、図２を参照して説明する。図２は、センターカバー２３及び遊技球タンク２５（図１参照）を取り外した状態の遊技盤２の背面図である。以下の説明では、図２の右側を制御部３０の右側、図２の左側を制御部３０の左側とする。遊技盤２の背面側には、制御基板を収納した立方体形状の制御基板ボックスが複数配設されており、この複数の制御基板ボックスが制御部３０を構成している。
【００３１】
詳細には、遊技盤２の背面側の下半分には、ランプドライバ基板ボックス（図示外）が配設されている。ランプドライバ基板ボックスは、各種電飾ランプ及びＬＥＤの発光を制御するランプドライバ基板（図示外）を収納している。そして、ランプドライバ基板の背面側（図２の紙面手前側）に、遊技の主制御を司るメイン制御基板（図示外）を収納したメイン制御基板ボックス３２が配設されている。すなわち、ランプドライバ基板ボックスとメイン制御基板ボックス３２とが、遊技盤２の背面側の下部に積層されている。メイン制御基板は、特別図柄始動電動役物２１へ遊技球が入賞することを契機として大当たり判定を行い、判定結果に応じて他の制御基板に制御信号を出力する。
【００３２】
また、遊技盤２の背面側の上半分には、液晶基板ボックス３３が配設されている。液晶基板ボックス３３は、液晶表示装置２０（図１参照）に接続しており、後述する演出制御基板による制御に従って液晶表示装置２０を駆動する。液晶基板ボックス３３の背面側の中央よりやや左側には、演出制御基板（図示外）を収納した演出制御基板ボックス３４が配設されている。演出制御基板は、画像データを記憶したＣＧＲＯＭを備えており、他の基板から受信した制御コマンドに従って液晶表示装置２０の表示を制御する。さらに、液晶基板ボックス３３の背面側には、演出制御基板ボックス３４の右側にサブ基板ボックス３５が配設されている。サブ基板ボックス３５には、メイン基板から受信する制御コマンドに応じて演出全体を制御するサブ統合基板（図示外）が収納されている。
【００３３】
各制御基板ボックスは、ビスによって、遊技盤２又は他の制御基板ボックスに固定されている。例えば、液晶基板ボックス３３は、４つのビス３８によって四隅の近傍で遊技盤２に固定されている（図２では４つのビス３８のうちの３つを図示している）。また、サブ基板ボックス３５の上端部は、ビス３９によって遊技盤２に固定されている。そして、サブ基板ボックス３５は、ビス３９を用いずに、液晶基板ボックス３３の背面側の所定の設置位置４０（図３参照）に仮止めすることもできる。
【００３４】
以下、サブ基板ボックス３５を設置位置４０に仮止めするための構造について説明する。まず、サブ基板ボックス３５を支持する液晶基板ボックス３３について、図３及び図４を参照して説明する。以下の説明では、図３の左上側を液晶基板ボックス３３の上側、図３の右下側を液晶基板ボックス３３の下側、図３の左下側を液晶基板ボックス３３の左側、図３の右上側を液晶基板ボックス３３の右側とする。
【００３５】
図３に示すように、直方体形状である液晶基板ボックス３３の右側面及び左側面からは、板状の固定片４１が側方へ延びている。各固定片４１の上下の端部近傍には、ビス３８（図２参照）を挿通する固定孔４２が穿設されている。ビス３８を固定孔４２に挿通し、遊技盤２に形成されたねじ孔（図示外）に締結することで、液晶基板ボックス３３を遊技盤２に固定することができる。
【００３６】
液晶基板ボックス３３の背面４３（図３の紙面手前側の面）の右側が、サブ基板ボックス３５が配設される設置位置４０となっている。設置位置４０の下端部には、第一保持リブ４５が立設している。第一保持リブ４５は、背面４３の右端部から左方へ真っ直ぐに延び、設置位置４０の左下端部で上方へ垂直に屈曲した形状をなしている。作業者は、直方体形状であるサブ基板ボックス３５の左下端部を、第一保持リブ４５の屈曲部４６に当接させるだけで、設置位置４０に対するサブ基板ボックス３５の位置合わせを容易に行うことができる。また、設置位置４０の左端部の上下方向中央には、第二保持リブ４７が立設している。第一保持リブ４５及び第二保持リブ４７は、設置位置４０の端部に沿って立設している。すなわち、第一保持リブ４５及び第二保持リブ４７は、サブ基板ボックス３５の外周の形状に対応している。
【００３７】
背面４３のうち、設置位置４０の四隅の近傍には、円柱状の凸部５０が突出している。凸部５０は、合成樹脂によって液晶基板ボックス３３と一体に形成されている。
【００３８】
図４に示すように、凸部５０の先端部の外周縁は面取りされている。すなわち、凸部５０の先端部外周縁には、先端側に向かう程径が小さくなる面取り部５１が形成されている。これにより、後述する凹部６０への凸部５０の嵌合を容易に行うことができる。
【００３９】
次に、サブ基板ボックス３５の構造について、図５乃至７を参照して説明する。図５に示すように、サブ基板ボックス３５の上端部中央よりもやや右側には、固定片５５が設けられている。固定片５５には、ビス３９（図２参照）を挿通する固定孔５６が穿設されている。ビス３９を固定孔５６に挿通し、遊技盤２に形成されたねじ孔（図示外）に締結することで、サブ基板ボックス３５の上端部を遊技盤２に固定することができる。また、サブ基板ボックス３５の右端部の上部には、収納されているサブ統合基板への不正を防ぐために、ボックスを封止する封止部５７が設けられている。封止部５７には、締め付け方向にのみ回転可能なビス（図示外）が締結される。
【００４０】
また、図５に示すように、サブ基板ボックス３５の正面５８には、液晶基板ボックス３３の凸部５０に対応する位置に、４つの凹部６０が設けられている。凹部６０は、適度な弾性を有する合成樹脂によって形成されている。
【００４１】
以下の説明では、図６の紙面左下側を凹部６０の正面側、図６の紙面右上側を凹部６０の背面側とする。図６に示すように、凹部６０は、正面視正方形状、外形が直方体形状に形成されており、基部６１、上壁部６２、左壁部６３、右壁部６４、及び下壁部６５を備えている。基部６１は、所定の厚みを有する正方形の板状部材である。上壁部６２は、基部６１の上端部から正面側へ鉛直方向に立設している。同様に、左壁部６３は基部６１の左端部から、右壁部６４は基部６１の右端部から、下壁部６５は基部６１の下端部から、上壁部６２と同じ方向に立設している。上壁部６２、左壁部６３、右壁部６４、及び下壁部６５（以下、これらをまとめて「壁部６２〜６５」と言う。）の厚みは全て一定であり、前後方向の幅も全て一定である。壁部６２〜６５によって囲まれた凹状の空間に、凸部５０が挿入される。
【００４２】
下壁部６５の内側の中心には、第一位置決めリブ７１が上方に突出している。第一位置決めリブ７１は、下壁部６５の先端部から一定の高さで基部６１まで延びている。第一位置決めリブ７１の左右には、２つの第二位置決めリブ７２が上方に突出している。第一位置決めリブ７１と、左右の第二位置決めリブ７２との間の距離は同一となっている。第二位置決めリブ７２は、下壁部６５の先端部よりもやや後端側から一定の高さで基部６１まで延びている。２つの第二位置決めリブ７２の高さは、円柱状の凸部５０の形状に対応させて、第一位置決めリブ７１の高さよりも高く形成されている。よって、第一位置決めリブ７１及び第二位置決めリブ７２は、凸部５０を適切に位置決めすることができる。また、第一位置決めリブ７１及び第二位置決めリブ７２は、下壁部６５に固定されるだけでなく、後端部も基部６１に固定されている。これにより、第一位置決めリブ７１及び第二位置決めリブ７２が屈曲することを防止し、凸部５０を確実に位置決めすることを可能にしている。
【００４３】
また、上壁部６２の内側にも、下壁部６５と同様に第一位置決めリブ７１及び２つの第二位置決めリブ７２が設けられている。上壁部６２の第一位置決めリブ７１及び第二位置決めリブ７２は、中心線Ｐを中心に、下壁部６５の第一位置決めリブ７１及び第二位置決めリブ７２と対称となる位置に設けられている。中心線Ｐは、基部６１の中心点を通り、且つ基部６１の壁面に対して垂直な線である。すなわち、凹部６０に円柱状の凸部５０が嵌合すると、凸部５０は、自身の中心軸を中心として対称となる複数の位置で位置決めリブ７１，７２に当接し、適切な位置に位置決めされる。位置決めされた凸部５０の中心軸と、中心線Ｐとは一致する。
【００４４】
左壁部６３の内側には、２つの固定リブ７３が右方に立設している。上の固定リブ７３と上壁部６２との距離は、下の固定リブ７３と下壁部６５との距離と同一である。固定リブ７３は、左壁部６３の先端部から基部６１まで延びているが、固定リブ７３の先端部の高さは他の部分の高さに比べて低い。また、固定リブ７３は左壁部６３に固定されているのみで、固定リブ７３の後端部は基部６１に固定されていない。よって、固定リブ７３は適度に屈曲することができ、反発力によって凸部５０を強固に固定することができる。
【００４５】
また、右壁部６４の内側にも、左壁部６３と同様に２つの固定リブ７３が左方に立設している。右壁部６４の２つの固定リブ７３は、中心軸Ｐを中心に、左壁部６３の２つの固定リブ７３と対称となる位置に設けられている。よって、計４つの固定リブ７３は、凸部５０に対して均等に力を加えることができ、凸部５０は安定した状態で固定される。
【００４６】
そして、図７に示すように、凹部６０は、サブ基板ボックス３５の正面５８よりも背面側（図７の紙面上側）へ入り込むように設けられている。これにより、凹部６０の正面側の端面の位置を、サブ基板ボックス３５の正面側の端面の位置と一致させている。従って、両端面が一致していない場合に比べて、サブ基板ボックス３５と液晶基板ボックス３３との間の接触面積が増加し、サブ基板ボックス３５が安定した状態で仮止めされる。
【００４７】
次に、サブ基板ボックス３５を液晶基板ボックス３３に仮止めする手順及び効果について説明する。まず、作業者は、図８に示すように、直方体形状であるサブ基板ボックス３５の左下端部を、第一保持リブ４５の屈曲部４６に当接させる。すると、第一保持リブ４５及び第二保持リブ４７によって、液晶基板ボックス３３に対するサブ基板ボックス３５の位置が正確に規定される。よって、作業者は、設置位置４０（図３参照）に対するサブ基板ボックス３５の上下方向・左右方向の位置合わせを容易に行うことができる。
【００４８】
次いで、作業者は、位置合わせを行った状態のサブ基板ボックス３５を、正面側（図８の紙面下側）へ押し込む。すると、液晶基板ボックス３３の背面４３に設けられた４つの凸部５０（図３参照）の各々が、サブ基板ボックス３５に設けられた凹部６０（図５参照）に嵌合し、サブ基板ボックス３５が液晶基板ボックス３３の設置位置４０（図３参照）に仮止めされる。よって、部材を係合させるような複雑な手順を経ることなく、一方向からサブ基板ボックス３５を押し込むだけで、容易且つ強固にサブ基板ボックス３５を仮止めすることができる。
【００４９】
例えば、サブ基板ボックス３５をパチンコ機１本体から取り外して、サブ基板ボックス３５に収納されたＲＯＭを交換し、パチンコ機１の動作確認を行うことが、開発段階では頻繁に行われる。また、パチンコ機１の修理を行う場合にも、サブ基板ボックス３５のパチンコ機１本体への固定、及び取り外しの作業が行われる。このように、サブ基板ボックス３５をパチンコ機１本体へ固定する場合、従来は毎回ビスを用いて固定作業を行う必要があり、作業効率が悪かった。ビスが作業場に散らばって面倒であるという問題点もあった。しかし、本実施の形態のパチンコ機１によると、作業者は容易且つ強固にサブ基板ボックス３５を仮止めすることができ、仮止めした状態で動作確認を行うことができる。よって、作業効率が飛躍的に向上する。パチンコ機１を組み立てる場合にも、サブ基板ボックス３５を仮止めしてからビスで固定すればいいため、サブ基板ボックス３５を設置位置４０に保持しながらビスによる固定作業を行う必要がない。サブ基板ボックス３５を仮止めして動作確認を行い、正常に動作することを確認してからビスによる固定作業を行えばよいため、不具合を発見した場合でも迅速にサブ基板ボックス３５を取り外して対処することができる。
【００５０】
また、先述したように、凸部５０の先端部の外周縁には面取り部５１が形成されている（図４参照）。よって、凸部５０の位置と凹部６０の位置とが多少ずれている場合でも、面取り部５１が第一位置決めリブ７１及び第二位置決めリブ７２（図６参照）によって案内されて、凸部５０はスムーズに凹部６０に嵌合する。また、凸部５０を角柱状でなく円柱状に形成したため、凸部５０と凹部６０との位相の一致を考慮する必要がない。
【００５１】
そして、図６に示すように、第一位置決めリブ７１は上壁部６２及び下壁部６５の先端部から基部６１まで延設され、第二位置決めリブ７２は、上壁部６２及び下壁部６５の先端部よりもやや後端側から基部６１まで延設されている。従って、凸部５０が押し込まれていく過程で、まずは、凸部５０は２つの第一位置決めリブ７１によって上下の位置決めを行われつつ凹部６０に侵入する。その後、４つの第二位置決めリブ７２によって左右方向の位置決めも行われて、サブ基板ボックス３５の仮止めが完了する。つまり、凸部５０は、押し込まれている過程で徐々に適切な位置に誘導される。よって、凸部５０及び凹部６０の厳密な位置合わせを行ってから仮止め作業を行う必要がない。また、固定リブ７３のうち、高さがやや低い先端側部分は、凸部５０の押し込みが開始された段階の、凸部５０の位置を規定する役割も果たす。従って、凸部５０の位置決めが、よりスムーズに行われる。
【００５２】
図９に示すように、本実施の形態の制御基板ボックスの仮止め構造によると、サブ基板ボックス３５は、凸部５０及び凹部６０の嵌合によって保持されることに加え、第一保持リブ４５によって外周が保持される。また、第二保持リブ４７（図３参照）も同様に、サブ基板ボックス３５の外周を保持する。よって、サブ基板ボックス３５は、より強固に液晶基板ボックス３３に仮止めされる。
【００５３】
図１０に示すように、凹部６０に凸部５０が押し込まれると、弾性を有する４つの固定リブ７３は、凸部５０の周壁面に対して斜めに当接して屈曲する。詳細には、上の固定リブ７３の先端部は上方へ屈曲し、下の固定リブ７３の先端部は下方へ屈曲する（図１０の矢印方向が屈曲方向を示す）。屈曲した固定リブ７３は、反発力によって凸部５０を押圧する。従って、サブ基板ボックス３５を容易且つ強固に液晶基板ボックス３３に仮止めすることができる。４つの固定リブ７３は、凸部５０の中心軸を中心として対称となる位置に設けられているため、４つの固定リブ７３から凸部５０へ均等に力が加わる。よって、安定した状態でサブ基板ボックス３５を仮止めすることができる。
【００５４】
また、凹部６０は、円柱状の凸部５０の周壁面に当接して凸部５０を位置決めする第一位置決めリブ７１及び第二位置決めリブ７２を備えている。これにより、サブ基板ボックス３５を正確な位置に位置決めすることができる。そして、複数の第一位置決めリブ７１及び第二位置決めリブ７２は、凹部６０に嵌合する凸部５０の中心軸を中心に対称となる位置に配設されている。よって、複数の第一位置決めリブ７１及び第二位置決めリブ７２に加わる力を均等に分散することができ、より安定した状態でサブ基板ボックス３５を仮止めすることができる。さらに、特定のリブに対して大きな負荷が加わることがないため、リブの消耗、破損等が生じるおそれを低下させることができる。
【００５５】
尚、本発明は、以上詳述した実施の形態に限定されるものではなく、本発明の要旨を逸脱しない範囲内において種々の変更が可能であることは勿論である。例えば、上記実施の形態では、サブ基板ボックス３５に凹部６０を設け、液晶基板ボックス３３に凸部５０を設けている。しかし、液晶基板ボックス３３に凹部６０を、サブ基板ボックス３５に凸部５０を設けてもよいことは言うまでもない。
【００５６】
上記実施の形態では、サブ基板ボックス３５を液晶基板ボックス３３の設置位置４０に仮止めするための構造について説明した。しかし、サブ基板ボックス３５の仮止め以外にも本発明を適用できるのは勿論である。例えば、液晶基板ボックス３３に演出制御基板ボックス３４を仮止めするために本発明を適用してもよい。遊技盤２に液晶基板ボックス３３を仮止めするために本発明を適用してもよい。
【００５７】
上記実施の形態では、凸部５０を円柱状に形成してあるが、角柱状に形成してもよい。また、凹部６０の外形も直方体形状である必要はなく、凹部６０を有底円筒状等の他の形状に変更することも可能である。
【００５８】
上記実施の形態では、固定リブ７３を屈曲変形させて反発力を生じさせることで、凸部５０を固定している。しかし、弾性を有する固定リブ７３の先端を陥没変形させることで、反発力を生じさせてもよい。この場合にも、上記実施の形態と同様に、凸部５０を強固に固定することができる。固定リブ７３の数、配設位置等は適宜変更が可能である。例えば、第一位置決めリブ７１及び第二位置決めリブ７２と同様に、高さの異なる複数の固定リブを配設してもよい。
【００５９】
第一位置決めリブ７１及び第二位置決めリブ７２の数、配設位置等も変更できる。例えば、凸部５０を円柱状でなく四角柱状に形成した場合には、第一位置決めリブ７１の高さと第二位置決めリブ７２の高さとを異ならせる必要はない。
【００６０】
上記実施の形態では、サブ基板ボックス３５の下端部及び左端部を外側から保持する第一保持リブ４５及び第二保持リブ４７を設けている。しかし、上下左右の４つの端部全てを保持するように保持リブを形成してもよい。外周の全周を保持するように保持リブを形成してもよい。また、本発明が適用できるのはパチンコ機に限られず、パチスロ機等の各種遊技機にも適用できる。
【符号の説明】
【００６１】
１    パチンコ機
２    遊技盤
３３    液晶基板ボックス
３５    サブ基板ボックス
４０    設置位置
４５    第一保持リブ
４６    屈曲部
４７    第二保持リブ
５０    凸部
５１    面取り部
６０    凹部
７１    第一位置決めリブ
７２    第二位置決めリブ
７３    固定リブ
【図１】
2010246679.tif 000003
【図２】
2010246679.tif 000004
【図３】
2010246679.tif 000005
【図４】
2010246679.tif 000006
【図５】
2010246679.tif 000007
【図６】
2010246679.tif 000008
【図７】
2010246679.tif 000009
【図８】
2010246679.tif 000010
【図９】
2010246679.tif 000011
【図１０】
2010246679.tif 000012